【手続補正書】
【提出日】平成19年10月22日(2007.10.22)
【手続補正１】
【補正対象書類名】特許請求の範囲
【補正対象項目名】全文
【補正方法】変更
【補正の内容】
【特許請求の範囲】
【請求項１】
信号を送受信するための複数の送信局及び複数の受信局を備え、
前記送信局は、使用可能な伝送資源（ＤＴＳ２、ＤＴＳ３）を使用して各データパケットがある送信局から伝送されるようにスケジュールされた一連のデータパケットとして、データ信号を送信するものであり、前記受信局は、送信局による受信のための予約インジケータを送信するものであり、
第１の送信局（ＢＳ１）から第１のデータパケットを許容不可能な干渉なく受信（Ｓ４）すると、ある受信局（ＵＥ１）が送信（Ｓ７）する前記予約インジケータは、
前記受信局（ＵＥ１）が許容不可能な干渉なく前記第１のデータパケットを受信したことを前記第１の送信局（ＢＳ１）に対して示す（Ｓ３）とともに、
前記データ信号を送信する前記第１の送信局（ＢＳ１）から前記データ信号の次のデータパケットを受信するために前記受信局（ＵＥ１）によって前記データ伝送資源（ＤＴＳ２、ＤＴＳ３）が予約されていることと、あるデータパケットを送信する第２の送信局による前記データ伝送資源（ＤＴＳ２、ＤＴＳ３）の使用が許可されていないこととを、あるデータパケットを送信しようとしている前記第２の送信局であって前記予約インジケータを検出する前記第２の送信局に対して示すものであり、
前記第２の送信局により前記予約インジケータが検出（Ｓ３１）されていないことは、前記データ伝送資源（ＤＴＳ２、ＤＴＳ３）が予約されておらず、前記データパケットを送信（Ｓ３３）する前記第２の送信局が使用できることを前記第２の送信局に対して示すか、または前記第１の送信局（ＢＳ１）から送信された最新のデータパケットが、前記第１の受信局（ＵＥ１）から許容可能な干渉とともに受信されていないことを前記第１の送信局（ＢＳ１）に対して示すものである、通信ネットワーク。 
【請求項２】
各データパケットは、後続の一連のフレームのあるタイムフレーム内の複数のデータタイムスロット（ＤＴＳ１、ＤＴＳ２、ＤＴＳ３）のうちのある固定のデータタイムスロットにおいて送信されるものであり、
あるインジケータタイムスロット（ＩＴＳ１、ＩＴＳ２、ＩＴＳ３）は、各フレームの各データタイムスロットへ割り当てられるものであり、
あるインジケータタイムスロットにおいて前記受信局（ＵＥ１）から送信されるある予約インジケータは、次のデータパケットの送信のための後続のタイムフレームにおいて、関連したデータタイムスロットが前記送信局（ＢＳ１）により予約されたか否かを示すものであり、前記後続のタイムフレーム内の前記関連したデータタイムスロットは、前記データ伝送資源を表すものであり、
あるインジケータタイムスロット内に予約インジケータが検出されていないことは、前記後続のタイムフレーム内の前記関連したデータタイムスロットが、あるデータパケットを送信する前記第２の送信局により使用可能であることを前記第２の送信局に対して示すものである、請求項１記載の通信ネットワーク。
【請求項３】
前記複数のデータパケットは、固定のデータ副搬送波で送信されるものであり、
あるインジケータ副搬送波（ＩＴＳ１、ＩＴＳ２、ＩＴＳ３）は、前記データ副搬送波に割り当てられるものであり、
あるインジケータ副搬送波で前記受信局（ＵＥ１）から送信されるある予約インジケータは、次のデータパケットの送信のために、関連したデータ副搬送波が前記送信局により予約されているか否かを示すものであり、前記関連したデータ副搬送波は前記データ伝送資源を表すものであり、
あるインジケータ副搬送波において予約インジケータが検出されていないことは、前記関連したデータ副搬送波が、あるデータパケットを送信する前記第２の送信局により使用可能であることを前記第２の送信局に対して示すものである、請求項１記載の通信ネットワーク。
【請求項４】
信号のデータパケットの送信のためのデータ伝送資源は、前記予約インジケータに基づいて選択されるものである、請求項１〜３のいずれか一項記載の通信ネットワーク。
【請求項５】
前記第１の送信局は、少なくとも１つの更なるデータパケットが同じデータ伝送資源において前記受信局（ＵＥ１）へ送信されるか否かを示す継続インジケータを、データパケットとともに送信するものである、請求項１〜４のいずれか一項記載の通信ネットワーク。
【請求項６】
前記第１の送信局（ＢＳ１）があるデータパケットを送信する先である前記受信局（ＵＥ１）は、少なくとも１つの更なるデータパケットが同じデータ伝送資源において前記第１の送信局から送信されることを前記継続インジケータが示す場合、少なくとも１つの更なるデータパケットを受信するためにデータ伝送資源が予約されていることを示す前記予約インジケータを送信する、請求項５記載の通信ネットワーク。
【請求項７】
前記データ伝送資源は、データタイムスロット、データ副搬送波、データ搬送波、及び／又は、データコードである、請求項１〜６のいずれか一項記載の通信ネットワーク。
【請求項８】
前記ネットワークは、セル式通信ネットワーク、アドホック通信ネットワーク、又はハイブリッドセル式／アドホック通信ネットワークである、請求項１〜７のいずれか一項記載の通信ネットワーク。
【請求項９】
前記送信局は、受信された予約インジケータが有効な予約インジケータであるか否かをチェックするものである、請求項１〜８のいずれか一項記載の通信ネットワーク。
【請求項１０】
前記送信局は、受信された予約インジケータに対する実際のパス利得を決定し、かつ、その実際のパス利得と期待されたパス利得と比較することによって、前記受信された予約インジケータの有効性をチェックするものである、請求項９記載の通信ネットワーク。
【請求項１１】
前記送信局は、実際のパス利得が期待されたパス利得と実質的に異なる場合、受信された予約インジケータを無効と判断するものである、請求項１０記載の通信ネットワーク。
【請求項１２】
前記送信局は、実際のパス利得と期待されたパス利得との間のパーセント誤差が所定のしきい値である５％よりも大きい場合、受信された予約インジケータを無効と判断するものである、請求項１１記載の通信ネットワーク。
【請求項１３】
信号を送受信するための複数の送信局及び複数の受信局を備えた通信ネットワークにおける通信方法であって、
使用可能な伝送資源（ＤＴＳ２、ＤＴＳ３）を使用して、一連のデータパケットを有するあるデータ信号のうちのあるデータパケットを第１の送信局（ＢＳ１）が送信（Ｓ６）するステップと、
前記第１の送信局（ＢＳ１）から第１のデータパケットを許容不可能な干渉なく受信すると、ある受信局（ＵＥ１）がある予約インジケータを送信（Ｓ７）するステップであって、前記予約インジケータは、前記受信局（ＵＥ１）が許容不可能な干渉なく前記第１のデータパケットを受信したことを前記第１の送信局（ＢＳ１）に対して示すとともに、あるデータ信号を送信する前記第１の送信局（ＢＳ１）から前記データ信号内の次のデータパケットを受信する前記受信局（ＵＥ１）によりあるデータ伝送資源（ＤＴＳ２、ＤＴＳ３）が予約されていることを、データパケットを送信しようとしている第２の送信局であって前記予約インジケータを検出する第２の送信局に対して示すものである、ステップと、
前記第１の送信局（ＢＳ１）が前記予約インジケータを検出した場合、前記データ伝送資源（ＤＴＳ２、ＤＴＳ３）を用いて前記第１の送信局（ＢＳ１）が次のデータパケットを送信（Ｓ６）するステップと、
前記第１の送信局（ＢＳ１）が前記予約インジケータを検出しなかった場合、前記データ伝送資源（ＤＴＳ２、ＤＴＳ３）を用いて前記第２の送信局があるデータパケットを送信（Ｓ３３）するステップと
を含む方法。
【請求項１４】
信号を送受信するための複数の送信局及び複数の受信局を備えた通信ネットワークにおいて用いられる受信局（ＵＥ１）であって、
ある伝送資源（ＤＴＳ２、ＤＴＳ３）を通して、あるデータ信号の一連のデータパケットのうちのあるデータパケットを第１の送信局（ＢＳ１）から受信する受信手段と、
前記受信手段が前記第１の送信局（ＢＳ１）から第１のデータパケットを許容不可能な干渉なく受信（Ｓ４）すると、前記第１の送信局（ＢＳ１）が受信するある予約インジケータを送信（Ｓ７）する送信手段であって、前記予約インジケータは、前記データ信号を送信する前記第１の送信局（ＢＳ１）から前記データ信号の次のデータパケットを受信する前記受信局（ＵＥ１）により前記データ伝送資源（ＤＴＳ２、ＤＴＳ３）が予約されていることを表すものである、送信手段と
を備え、
前記第１の送信局（ＢＳ１）から送信された最新のデータパケットを、前記受信手段が許容可能な干渉とともに受信（Ｓ４）していない場合、前記予約インジケータを送信（Ｓ５）しない受信局。
【請求項１５】
信号を送受信するための複数の送信局及び複数の受信局を備えた通信ネットワークにおいて用いられる送信局であって、
ある伝送資源（ＤＴＳ２、ＤＴＳ３）を使用して、あるデータ信号の一連のデータパケットのうちのあるデータパケットをある受信局（ＵＥ１）へ送信（Ｓ６）する送信手段と、
前記受信局（ＵＥ１）から送信（Ｓ７）されたある予約インジケータを受信する受信手段であって、前記予約インジケータは、前記受信局（ＵＥ１）が許容不可能な干渉なく第１のデータパケットを受信したことを第１の送信局（ＢＳ１）に対して示すものである、受信手段と
を備え、
前記受信手段が前記予約インジケータを受信した場合、前記送信手段は、使用可能な伝送資源（ＤＴＳ２、ＤＴＳ３）を用いて前記一連のデータパケットの次のデータパケットを送信（Ｓ６）するものであり、
前記受信手段が前記次のデータパケットを受信しない場合、前記送信手段は、前記伝送資源（ＤＴＳ２、ＤＴＳ３）を用いて前記一連のデータパケットの次のデータパケットを送信（Ｓ９）しない、送信局。
【請求項１６】
信号を送受信するための複数の送信局及び複数の受信局を備えた通信ネットワークにおいて用いられる送信局であって、
ある伝送資源（ＤＴＳ２、ＤＴＳ３）を用いて、あるデータ信号の一連のデータパケットのうちのあるデータパケットをある受信局（ＵＥ１）へ送信しようとする（Ｓ３０）送信手段と、
前記伝送資源（ＤＴＳ２、ＤＴＳ３）へ割り当てられたある予約インジケータを受信したか否かを検出（Ｓ３１）する受信手段であって、前記予約インジケータは、前記受信局（ＵＥ１）が異なる送信局から許容不可能な干渉なくあるデータパケットを受信した結果、あるデータパケットを送信する前記送信局がデータ伝送資源（ＤＴＳ２、ＤＴＳ３）の使用を許可（Ｓ３２）されていないことを前記送信局に対して示すものである、受信手段と
を備え、
前記送信手段は、前記受信手段が前記予約インジケータを検出（Ｓ３１）しない場合、前記伝送資源（ＤＴＳ２、ＤＴＳ３）を使用（Ｓ３３）するものである、送信局。
【請求項１７】
ある受信局（ＵＥ１）を動作させる方法であって、
ある伝送資源（ＤＴＳ２、ＤＴＳ３）を通して、あるデータ信号の一連のデータパケットのうちのあるデータパケットを第１の送信局（ＢＳ１）から受信するステップと、
前記第１の送信局（ＢＳ１）から第１のデータパケットを許容不可能な干渉なく受信（Ｓ４）すると、前記第１の送信局により受信されるある予約インジケータを送信（Ｓ７）するステップであって、前記予約インジケータは、前記データ信号を送信する前記第１の送信局（ＢＳ１）から前記データ信号の次のデータパケットを受信する前記受信局（ＵＥ１）によりデータ伝送資源（ＤＴＳ２、ＤＴＳ３）が予約されていることを示すものである、ステップと
を含み、
前記第１の送信局（ＢＳ１）から送信された最新のデータパケットが、前記受信するステップにおいて許容可能な干渉とともに受信（Ｓ４）されていない場合、前記予約インジケータは送信（Ｓ５）されないものである、方法。
【請求項１８】
ある送信局を動作させる方法であって、
ある伝送資源（ＤＴＳ２、ＤＴＳ３）を用いて、あるデータ信号の一連のデータパケットのうちのあるデータパケットをある受信局（ＵＥ１）へ送信するステップと、
前記受信局（ＵＥ１）から送信（Ｓ７）されたある予約インジケータを受信するステップであって、前記予約インジケータは、前記受信局（ＵＥ１）が許容不可能な干渉なく第１のデータパケットを受信したことを第１の送信局（ＢＳ１）に対して示すものである、ステップと、
前記受信するステップにおいて前記予約インジケータを受信した場合、使用可能な伝送資源（ＤＴＳ２、ＤＴＳ３）を用いて前記一連のデータパケットの次のデータパケットを送信（Ｓ６）するステップと
を含み、
前記受信するステップにおいて、前記一連のデータパケットの次のデータパケットを受信しない場合、前記一連のデータパケットの次のデータパケットは、前記伝送資源（ＤＴＳ２、ＤＴＳ３）を用いて送信（Ｓ９）されない、方法。
【請求項１９】
ある送信局を動作させる方法であって、
ある伝送資源（ＤＴＳ２、ＤＴＳ３）を用いて、あるデータ信号の一連のデータパケットのうちのあるデータパケットをある受信局（ＵＥ１）へ送信しようとする（Ｓ３０）ステップと、
前記伝送資源（ＤＴＳ２、ＤＴＳ３）へ割り当てられたある予約インジケータが受信されたか否かを検出（Ｓ３１）するステップであって、前記予約インジケータは、前記受信局（ＵＥ１）が異なる送信局から許容不可能な干渉なくあるデータパケットを受信したことを送信局に対して示すものであり、前記予約インジケータが検出されると、あるデータパケットを送信する前記送信局によるデータ伝送資源（ＤＴＳ２、ＤＴＳ３）の使用が許可（Ｓ３２）されない、ステップと、
前記検出するステップにおいて前記予約インジケータが検出（Ｓ３１）されない場合、前記伝送資源（ＤＴＳ２、ＤＴＳ３）を用いる（Ｓ３３）ステップと
を含む方法。
【手続補正２】
【補正対象書類名】明細書
【補正対象項目名】０００９
【補正方法】変更
【補正の内容】
【０００９】
上記目的は、本発明の請求項１記載の通信システムにより達成される。
【手続補正３】
【補正対象書類名】明細書
【補正対象項目名】００１０
【補正方法】変更
【補正の内容】
【００１０】
対応する通信方法が請求項１３において定義される。本発明に係る適切な受信局は請求項１４において定義される。本発明に係る適切な送信局は請求項１５または１６において定義される。これらの局を動作させる方法は、請求項１７、１８または１９において定義される。